(57)【要約】【課題】蓋体のスライド量が小さく、しかも、スムーズにスライドさせて開蓋することができる電池収納機構を提供する。【解決手段】この電池収納機構は、電池収納室２を形成するケーシング１０の一端部に電池の電極１ａを露出させる開口部１１が設けられ、この開口部１１が蓋体６０によって開閉され、前記ケーシング１０の開口部１１側の端部と蓋体６０の基端部とがヒンジ８０によって連結されている。蓋体６０は、スライドするアウター部６１と、電池収納室２に収納された電池の電極１ａにスライドすることなく当接する端子６３を固定したインナー部６２とを重ね合わせたものとされている。ヒンジ８０は、ケーシング１０に固定され、かつ、蓋体６０のアウター部６１のスライド方向と同じ方向の長穴８１を形成した固定部８２と、長穴８１内で移動し、かつ、蓋体６０のアウター部６１の基端部に固定された軸８３とを備えている。【選択図】図１
2008251426.tif 000002
【特許請求の範囲】
【請求項１】
電池収納室を形成するケーシングの一端部に電池の電極を露出させる開口部が設けられ、該開口部が蓋体によって開閉され、前記ケーシングの開口部側の端部と蓋体の基端部とがヒンジによって連結されている電池収納機構であって、
前記蓋体は、前記電池収納室内の電池の長さ方向と直角方向にスライドするアウター部と、電池収納室に収納された電池の電極にスライドすることなく当接する端子を固定したインナー部とを重ね合わせたものであり、前記ヒンジは、前記ケーシングに固定され、かつ、前記蓋体のアウター部のスライド方向と同じ方向の長穴を形成した固定部と、前記長穴内で移動し、かつ、前記蓋体のアウター部の基端部に固定された軸とを備えたものであり、閉蓋状態で前記端子が電池の電極に当接するように、前記インナー部を位置決めする係合部が前記ケーシングとインナー部とに設けられ、該係合部が係合するように、インナー部をアウター部に仮固定する係止部がインナー部とアウター部とに設けられていることを特徴とする電池収納機構。
【請求項２】
前記係止部は、前記アウター部がスライドすることによって嵌合・脱抜する突起部と小穴部とを組み合わせたものであり、前記突起部がアウター部又はインナー部のいずれか一方の対向面に設けられ、前記小穴部がインナー部又はアウター部の前記と別の対向面に設けられていることを特徴とする請求項１に記載の電池収納機構。
【請求項３】
前記係止部は、前記アウター部に突設され、前記インナー部の基端側端縁に接離する突出部と、開蓋時の前記インナー部の基端側端縁が前記突出部に当接するように前記インナー部を付勢させる付勢部材と、閉蓋時の前記アウター部が前記付勢部材の付勢力に抗して閉蓋状態を維持するための留め部とを備えていることを特徴とする請求項１記載の電池収納機構。
【請求項４】
前記係合部は、凸曲面状の凸部と凹曲面状の凹部とを組み合わせたものであり、前記凸部が蓋体のインナー部又はケーシングのいずれか一方の対向面に設けられ、前記凹部がケーシング又は蓋体のインナー部の前記と別の対向面に設けられていることを特徴とする請求項１から３のいずれか１項に記載の電池収納機構。
【請求項５】
前記蓋体のアウター部には、閉蓋時に、ケーシングに係止するフックが設けられていることを特徴とする請求項１から４のいずれか１項に記載の電池収納機構。
【発明の詳細な説明】
【技術分野】
【０００１】
本発明は、携帯用又は卓上用の電子機器などに備えられる電池収納機構に関し、詳しくは、電池収納室を形成するケーシングの一端部に設けられた開口部が蓋体によって開閉される電池収納機構に関する。
【背景技術】
【０００２】
携帯用又は卓上用の電子機器などに備えられる電池収納機構が各種提供されているが、電池収納室を形成するケーシングの一端部に開口部が設けられ、この開口部が揺動する蓋体によって開閉される第１の従来例と第２の従来例について説明する。
【０００３】
電池収納機構の第１の従来例は、図７から図９に示すように、電池１を収納する電池収納室２がケーシング１０によって形成され、ケーシング１０の一端部（図面では上端部）に電池１の電極１ａを露出させる開口部１１が設けられ、この開口部１１が蓋体２０によって開閉できるようにされている。そして、電池収納室２の内側奥部において、電池１の電極１ａと接合する端子３がケーシング１０に固定されている。
【０００４】
また、ケーシング１０の開口部１１側には、鍔部１２，１３が設けられ、この鍔部１２に連続する段差部１４が本体ケース４に固定されている。この段差部１４によって、開口部１１を閉蓋した蓋体２０の表面と本体ケース４の表面とが同一面になる。このケーシング１０の鍔部１２と蓋体２０の基端部とは、ヒンジ３０によって連結されている。このヒンジ３０は、ケーシング１０の鍔部１２に固定された座金（図示せず）と蓋体２０の裏面に固定された座金とを軸によって連結したもので、蓋体２０が揺動できるようにしている。
【０００５】
この蓋体２０は、基端部が前記ヒンジ３０によって連結されたインナー部２１と、このインナー部２１上をスライドするアウター部２２とを分離できないように重ね合わせたものである。アウター部２２は、ケーシング１０の段差部１４から離間する方向にスライドすることにより、アウター部２２の基端部とケーシング１０の段差部１４との間に空間が設けられ、蓋体２０が起立姿勢となって開蓋することができるようにされている。
【０００６】
また、アウター部２２の先端部には、閉蓋した状態を維持するため、ケーシング１０の鍔部１３に係止するフック２１ａが設けられている。一方、インナー部２１には、閉蓋時において、電池収納室２内の電池１の電極１ａと接合する端子２３が固定されている。
【０００７】
このような電池収納機構にあっては、閉蓋時において、蓋体２０のアウター部２２に設けられたフック２１ａがケーシング１０の鍔部１３に係止し、蓋体２０が倒伏姿勢を維持し、各端子３，２３が電池１の電極１ａに確実に当接するようにされている。そして、開蓋するには、蓋体２０のアウター部２２をスライドさせる。このとき、蓋体２０のインナー部２１に固定された端子２３は、電池１の電極１ａと当接した状態を維持し、電池１の電極１ａ上を擦らない。そして、アウター部２２の基端部がケーシング１０の段差部１４から離隔し、空間が設けられることによって、蓋体２０が起立姿勢となり、開蓋することができる。
【０００８】
次に、電池収納機構の第２の従来例について図１０から図１２を参照しながら説明する。ただし、第１の従来例と同一部分は、同一符号を付して、説明を省略する。
【０００９】
この電池収納機構も第１の従来例と同様、一端部（図面では上端部）に開口部１１を設けたケーシング１０と、開口部１１を開閉し、裏面に端子４３を固定した蓋体４０とが備えられている。また、ケーシング１０の開口部１１側に設けられた鍔部１２と蓋体４０の基端部とがヒンジ５０によって連結され、倒伏姿勢と起立姿勢とに揺動するようにされている。
【００１０】
ヒンジ５０は、第１の従来例と異なり、長穴５１を形成した固定部５２と、前記長穴５１内で移動する軸５３とが備えられ、固定部５２がケーシング１０の鍔部１２に固定され、軸５３が蓋体４０の基端部に固定されている。したがって、蓋体４０は、長穴５１の長さ分だけスライドすることができる。なお、蓋体４０の基端部の両側部には、ヒンジ５０の固定部５２が入り込む切欠部４１が設けられ、蓋体４０の先端部には、ケーシング１０の鍔部１３に係止するフック４０ａが設けられている。
【００１１】
このような電池収納機構にあっては、蓋体４０が倒伏姿勢で、蓋体４０に設けられたフック４０ａがケーシング１０の鍔部１３に係止することにより、閉蓋状態を維持し、各端子４３が電池１の電極１ａに確実に当接するようにされている。そして、開蓋するには、蓋体４０をスライドさせる。このとき、蓋体４０に固定された端子４３も電池１の電極１ａを擦りながらスライドする。そして、蓋体４０の基端部とケーシング１０の段差部１４とが離間して、空間部が設けられることにより、蓋体４０が起立姿勢となり、開蓋することができる。
【００１２】
なお、前記第１の従来例と同様の構成の電池保持装置が特許文献１に開示され、第２の従来例と同様の構成の電池収納室構造が特許文献２に開示されている。
【特許文献１】特開２０００−１３３９６３号公報
【特許文献２】特開２００６−３４４５３７号公報
【発明の開示】
【発明が解決しようとする課題】
【００１３】
第１の従来例における電池収納機構は、開蓋するため、蓋体２０のアウター部２２をスライドさせるが、蓋体２０のアウター部２２の基端部がケーシング１０の段差部１４から離間する空間部は、ケーシング１０の段差部１４と本体ケース４とを合わせた厚さ以上必要である。したがって、蓋体２０のアウター部２２のスライド量は、第２の従来例における電池収納機構と比べて大きく、蓋体２０は、開閉の操作性がよいといえない。また、蓋体２０は、倒伏姿勢と起立姿勢とに揺動するようにインナー部２１がヒンジ３０に連結されている。したがって、インナー部２１は、開閉の際に荷重が加えられても、破損しない程度の剛性が必要とされ、例えばステンレスなどが使用される。しかし、ステンレスは高価であり、ステンレス製の蓋体２０を備えた電池収納機構は、コストが高くなる。
【００１４】
一方、第２の従来例における電池収納機構は、開蓋するため、蓋体４０をスライドさせると、蓋体４０に固定された端子４３が電池１の電極１ａ上を擦れながらスライドする。この場合、蓋体４０の構造の簡素化において優れるが、端子４３と電池１の電池１ａとの摺動抵抗により、蓋体４０をスムーズにスライドすることができなくなる。例えば、単三電池の場合、１本あたり４．９〜９．８Ｎ程度の荷重が加えられることが電池工業会によって推奨されているが、このような単三電池を４本以上使用するような場合、上記摺動抵抗が大きくなりすぎ、蓋体４０をスライドするのに相当な労力を要することになる。
【００１５】
そこで、本発明は、蓋体のスライド量が小さく、しかも、スムーズにスライドさせて開蓋することができる電池収納機構を提供することを課題とする。
【課題を解決するための手段】
【００１６】
本発明に係る電池収納機構は、電池収納室を形成するケーシングの一端部に電池の電極を露出させる開口部が設けられ、該開口部が蓋体によって開閉され、前記ケーシングの開口部側の端部と蓋体の基端部とがヒンジによって連結されている電池収納機構であって、前記蓋体は、前記電池収納室内の電池の長さ方向と直角方向にスライドするアウター部と、電池収納室に収納された電池の電極にスライドすることなく当接する端子を固定したインナー部とを重ね合わせたものであり、前記ヒンジは、前記ケーシングに固定され、かつ、前記蓋体のアウター部のスライド方向と同じ方向の長穴を形成した固定部と、前記長穴内で移動し、かつ、前記蓋体のアウター部の基端部に固定された軸とを備えたものであり、閉蓋状態で前記端子が電池の電極に当接するように、前記インナー部を位置決めする係合部が前記ケーシングとインナー部とに設けられ、該係合部が係合するように、インナー部をアウター部に仮固定する係止部がインナー部とアウター部とに設けられていることを特徴としている。
【００１７】
この電池収納機構によれば、開蓋に際して、インナー部がスライドしないため、インナー部に固定された電極が電池収納室内の電池の電極を擦らず、アウター部をスムーズにスライドさせることができる。また、ヒンジに形成された長穴の長さ分だけ、アウター部をスライドさせて開蓋することができるため、開蓋の操作性を良好にすることができる。そして、アウター部がスライドしても、インナー部は係合部によってケーシングに対して位置決めされているため、インナー部に固定された端子が電池収納室内の電池の電極と確実に当接する。さらに、アウター部をスライドさせた開蓋途中の段階で、スライドしたアウター部が前記インナー部からずれるが、インナー部とアウター部とを仮固定する係止部によって、そのずれた位置を維持するため、完全に開蓋された後に、開蓋途中の状態に戻されたときに、前記インナー部とケーシングとの係合部が係合するようにすることができる。
【００１８】
また、前記本発明に係る電池収納機構において、前記係止部は、前記アウター部がスライドすることによって嵌合・脱抜する突起部と小穴部とを組み合わせたものであり、前記突起部がアウター部又はインナー部のいずれか一方の対向面に設けられ、前記小穴部がインナー部又はアウター部の前記と別の対向面に設けられていることが好ましい。
【００１９】
この電池収納機構によれば、係止部が突起部と小穴部とを組み合わせたものとされ、アウター部がスライドすることによって突起部と小穴部が嵌合・脱抜する。したがって、アウター部がスライドしてインナー部からずれた開蓋途中の段階で、突起部と小穴部とが嵌合する。そして、その位置を維持して完全に開蓋され、その後、閉蓋途中の状態に戻されときに、係合部が係合し、インナー部に固定された端子が電池の電極に当接する。そして、完全に閉蓋するため、アウター部をスライドさせると、突起部が小穴部から脱抜される。
【００２０】
また、前記本発明に係る電池収納機構において、前記係止部は、前記アウター部に突設され、前記インナー部の基端側端縁に接離する突出部と、開蓋時の前記インナー部の基端側端縁が前記突出部に当接するように前記インナー部を付勢させる付勢部材と、閉蓋時の前記アウター部が前記付勢部材の付勢力に抗して閉蓋状態を維持するための留め部とを備えたものであってもよい。
【００２１】
この電池収納機構によれば、係止部が、アウター部に突設された突出部と、開蓋時にインナー部の基礎側端縁を前記突起部に当接させる付勢部材と、この付勢部材の付勢力に抗して閉蓋状態を維持するための留め部とを備えていることにより、アウター部をスライドさせた開蓋途中及び開蓋した状態から開蓋途中にされたときに、付勢部材がインナー部を押圧し、インナー部の基端側端縁が突出部に当接し、インナー部とアウター部の係合部が係合する。そして、完全に閉蓋するためアウター部がスライドされると、付勢部材に抗してアウター部の突出部がインナー部の基端側端縁から離間するが、この状態が留め部によって維持される。
【００２２】
また、前記本発明に係る電池収納機構において、前記係合部は、凸曲面状の凸部と凹曲面状の凹部とを組み合わせたものであり、前記凸部が蓋体のインナー部又はケーシングのいずれか一方の対向面に設けられ、前記凹部がケーシング又は蓋体のインナー部の前記と別の対向面に設けられていることが好ましい。
【００２３】
この電池収納機構によれば、係合部が凸曲面状の凸部と凹曲面状の凹部とを組み合わせたものとされることにより、開蓋された蓋体が開蓋途中の状態にされたときに、インナー部が多少位置ずれしていても、係合部の凸部と凹部とが確実に係合し、インナー部に固定された端子が電池の電極に確実に当接するようにすることができる。
【００２４】
また、前記本発明に係る電池収納機構において、前記蓋体のアウター部には、閉蓋時に、ケーシングに係止するフックが設けられていることが好ましい。
【００２５】
この電池収納機構によれば、蓋体のアウター部に設けられたフックがケーシングに係止することにより、蓋体が勝手に開蓋することがないようにすることができる。
【発明の効果】
【００２６】
本発明によれば、蓋体が、スライドするアウター部と、スライドすることなく電池の電極に当接する端子を固定したインナー部とを重ね合わせたものとされていることにより、また、蓋体を開閉させるヒンジが長穴を形成した固定部と、長穴内で移動する軸とを備え、固定部がケーシングに固定され、軸が蓋体のアウター部の基端部に固定されることにより、蓋体は、短いスライド量で、しかもスムーズに開閉することができる。したがって、この電池収納機構は、蓋体の開閉操作を向上させることができる。また、この電池収納機構は、蓋体に高価なステンレスなどの金属材が使用されないため、コストダウンを図ることができる。
【発明を実施するための最良の形態】
【００２７】
本発明に係る電池収納機構の第１の実施形態について図１から図３を参照しながら説明する。なお、従来と同一部分は、同一符号を付して説明する。
【００２８】
この電池収納機構は、開口部１１を設けたケーシング１０と、開口部１１を開閉する蓋体６０と、ケーシング１０と蓋体６０とを連結するヒンジ８０とを備えている。ケーシング１０によって電池収納室２が形成され、開口部１１側に鍔部１２，１３が設けられている。鍔部１２に連続して段差部１４が設けられ、この段差部１４に連続する部分と本体ケース４とが固定されている。なお、電池収納室２の奥側部分において、電池１の電極１ａと接合する端子３がケーシング１０に固定されている。
【００２９】
そして、蓋体６０は、図面において、開口部１１を塞ぐ倒伏姿勢と、開口部１１を開ける起立姿勢とに揺動する。この蓋体６０は、電池収納室２内の電池１の長さ方向と直角方向にスライドするアウター部６１と、電池収納室２に収納された電池１の電極１ａに当接する端子６３を固定したインナー部６２とを分離できないように重ね合わせたものとされている。このアウター部６１とインナー部６２との対向面には、開蓋された後に閉蓋するときに、インナー部６２に固定された端子６３が電池１の電極１ａと接合するように仮固定するための係止部６４が設けられている。この係止部６４は、アウター部６１がスライドすることによって嵌合・脱抜する突起部６４ａと小穴部６４ｂ，６４ｃとを組み合わせたものとされる。
【００３０】
例えば、アウター部６１の対向面の先端部寄りと基端部寄りの２か所に小穴部６４ｂ，６４ｃが設けられ、インナー部６２の対向面の１か所に突起部６４ａが設けられる。２か所の小穴部６４ｂ，６４ｃの間隔は、アウター部６１のスライド量と同じとされている。そして、閉蓋時において、突起部６４ａは先端部寄りの小穴部６４ｂに嵌合し、開蓋のためにアウター部６１がスライドした開蓋時および開蓋途中の段階において、突起部６４ａは基端部よりの小穴部６４ｃに嵌合する。なお、係止部６４は、突起部６４ａをアウター部６１の対向面に設け、小穴部６４ｂ，６４ｃをインナー部６２の対向面に設けたものとしてもよい。
【００３１】
そして、蓋体６０が開閉され、インナー部６２に固定された端子６３が電池１の電極１ａに確実に当接することができるように位置決めするため、インナー部６２とケーシング１０の鍔部１３とに係合部７０が設けられている。この係合部７０は、アウター部６１がスライドしても外れないように、前記係止部６４の突起部６４ａと小穴部６４ｂ，６４ｃよりも大きな凸部７１と凹部７２とによって構成されている。さらに、蓋体６０が起立姿勢から倒伏姿勢となったときに、多少位置ずれしていても、凸部７１と凹部７２とが嵌合することができるように、凸部７１は凸曲面状、凹部７２は凹曲面状に形成される。ただし、凸部７１と凹部７２は、円柱状や角柱状に形成してもよい。
【００３２】
そして、凸部７１がインナー部６２に設けられ、凹部７２がケーシング１０の鍔部１３に設けられる。鍔部１３は、一定の厚さで成形することができるため、凹部７２が形成されても、その部分が薄肉にならないようにすることができる。ただし、凸部７１がケーシング１０の鍔部１３に設けられ、凹部７２がインナー部６２に設けられてもよい。いずれにしても、アウター部６１の先端部には、閉蓋時において、ケーシング１０の鍔部１３に係止するフック６１ａが設けられている。
【００３３】
そして、ヒンジ８０は、蓋体６０のアウター部６１の基端部とケーシング１０の段差部１４を設けた側の鍔部１２とを連結している。ヒンジ８０は、ケーシング１０の鍔部１２に固定される固定部８２にアウター部６１のスライド方向と同じ方向の長穴８１を形成し、この長穴８１内で軸８３が移動するようにしたもので、軸８３がアウター部６１の基端部に固定されている。なお、アウター部６１の基端部の両側部には、ヒンジ８０の固定部８２が入り込む切欠部７２が設けられている。
【００３４】
ここで、以上のように構成された第１の実施形態における電池収納機構の使用方法について説明する。
【００３５】
図１に示すような閉蓋時において、蓋体６０は、倒伏姿勢とされており、蓋体６０に設けられたフック６１ａがケーシング１０の鍔部１３に係止され、そして蓋体６０のインナー部６２とケーシング１０の鍔部１３とに設けられた係合部７０の凸部７１と凹部７２が嵌合している。また、蓋体６０のインナー部６２の突起部６４ａが蓋体６０のアウター部６１の先端部寄りの小穴部６４ｂと嵌合している。この状態において、蓋体６０のインナー部６２に固定された端子６３が電池収納室２内に収納された電池１の電極１ａと当接している。
【００３６】
そして、開蓋するため、蓋体６０のアウター部６１をケーシング１０の段差部１４から離間するようにスライドさせると、アウター部６１は、ヒンジ８０の軸８３が移動する長穴８１の長さ分だけスライドし、倒伏姿勢のままの開蓋途中となる。この開蓋途中では、図２に示すように、蓋体６０に設けられたフック６１ａがケーシング１０の鍔部１３から外れるとともに、インナー部６２の突起部６４ａがアウター部６１の基端部寄りの小穴部６４ｃに嵌合する。しかし、インナー部６２に設けられた凸部７１がケーシング１０の鍔部１３に設けられた凹部７２と嵌合した状態を維持するため、インナー部６２はスライドせず、インナー部６２に固定された端子６３は、電池１の電極１ａと当接し続ける。
【００３７】
そして、ヒンジ８０の軸８３を回転軸として蓋体６０が起立姿勢とされると、図３に示すように開蓋される。この時、インナー部６２の突起部６４ａがアウター部６１の基端部寄りの小穴部６４ｃに嵌合した状態が維持されるため、インナー部６２とアウター部６１とは位置ずれしない。
【００３８】
したがって、閉蓋するため、蓋体６０を開蓋途中の倒伏姿勢とすると、図２に示すように、インナー部６２に設けられた凸部７１がケーシング１０の鍔部１３に設けられた凹部７２内に入り込む。凸部７１が凸曲面状に形成され、凹部７２が凹曲面状に形成されていることにより、インナー部６２が多少位置ずれしていても、インナー部６２は曲面に案内されて、凸部７１は確実に凹部７２内に入り込み、嵌合する。したがって、この開閉途中において、インナー部６２に固定された端子６３が電池１の電極１ａに当接する。
【００３９】
そして、完全に閉蓋するため、アウター部６１をケーシング１０の段差部１４の方にスライドさせると、図１に示すように、インナー部６２に設けられた突起部６４ａがアウター部６１の基端部寄りに設けられた小穴部６４ｃ内に嵌合し、蓋体６０に設けられたフック６１ａがケーシング１０の鍔部１３に係止される。この時、インナー部６２の凸部７１がケーシング１０の凹部７２内に入り込んでいることにより、インナー部６２がアウター部６１に連れて移動しないため、インナー部６２に固定された端子６３が電池１の電極１ａに当接した状態を維持する。
【００４０】
次に、本発明に係る電池収納機構の第２の実施形態について図４から図６を参照しながら説明する。第２の実施形態における電池収納機構は、第１の実施形態における係止部６４を変更したもので、共通する部分に付いては同一の符号を付して、その説明を省略する。
【００４１】
第２の実施形態における係止部６５は、アウター部６１の裏面に突設された突出部６５ａと、インナー部６２の先端側に配置される付勢部材６５ｂと、付勢部材６５ｂの付勢力に抗して閉蓋状態を維持するための留め部６５ｃとを備えている。
【００４２】
突出部６５ａは、アウター部６１がケーシング１０の段差部１４から離隔する方向にスライドした開蓋途中において、インナー部６２に固定された端子６３が電池１の電極１ａに当接した状態を維持すべく、インナー部６２の基端側端縁に当接するようにアウター部６１の裏面に突設されている。また、付勢部材６５ｂは、アウター部６１に設けられたフック６１ａ側の端部とインナー部６２の先端との間に挟まれる圧縮バネ、板バネ、ゴムなどによって構成され、インナー部６２を突出部６５ａの方へ付勢する。ただし、付勢部材６５ｂは、前記突出部６５ａとヒンジ８０との間に配置する引張バネによって構成してもよい。また、留め部６５ｃは、フック６１ａとケーシング１０の鍔部１３との対向面に形成される突部６５ｄと窪部６５ｅとによって構成される。
【００４３】
他の係合部７０やヒンジ８０は、第１の実施形態と同じであるため、次に使用方法について説明する。
【００４４】
図４に示す閉蓋時において、蓋体６０は、倒伏姿勢とされており、インナー部６２に設けられた凸部７１とケーシング１０の鍔部１３に設けられた凹部７２とが嵌合し、インナー部６２に固定された端子６３が電池１の電極１ａに当接している。また、蓋体６０に設けられたフック６１ａがケーシング１０の鍔部１３に係止され、そして、留め部６５ｃの突部６５ｄと窪部６５ｅとが係合している。したがって、付勢部材６５ｂがアウター部６１を押圧してスライドさせることがない。
【００４５】
そして、開蓋するため、蓋体６０のアウター部６１をケーシング１０の段差部１４から離間するようにスライドさせると、アウター部６１は、図５に示すように、ヒンジ８０の軸８３が移動する長穴８１の長さ分だけスライドし、倒伏姿勢のままの開蓋途中となる。この開蓋途中では、蓋体６０に設けられたフック６１ａがケーシング１０の鍔部１３から外れ、留め部６５ｃの突部６５ｄと窪部６５ｅとが外れ、付勢部材６５ｂが伸長し、インナー部６２の基端側端縁がアウター部６１に突設された突出部６５ａに当接する。しかし、インナー部６２に設けられた凸部７１がケーシング１０の鍔部１３に設けられた凹部７２と嵌合した状態を維持するため、インナー部６２に固定された端子６３は、電池１の電極１ａと当接し続ける。
【００４６】
そして、ヒンジ８０の軸８３を回転軸として蓋体６０を起立姿勢とすると、図６に示すように開蓋される。この時、インナー部６２が付勢部材６５ｂに付勢され、インナー部６２の基端側端縁がアウター部６１の突出部６５ａに当接した状態を維持するため、インナー部６２とアウター部６１とは位置ずれしない。
【００４７】
したがって、閉蓋するため、蓋体６０を開閉途中の倒伏姿勢とすると、図５に示すように、インナー部６２に設けられた凸部７１がケーシング１０の鍔部１３に設けられた凹部７２内に入り込む。凸部７１が凸曲面状に形成され、凹部７２が凹曲面状に形成されていることにより、インナー部６２が多少位置ずれしていても、インナー部６２は曲面に案内されて、凸部７１は確実に凹部７２内に入り込む。したがって、この開閉途中において、インナー部６２に固定された端子６３が電池１の電極１ａに当接する。
【００４８】
そして、完全に閉蓋するため、アウター部６１をケーシング１０の段差部１４の方にスライドさせると、図４に示すように、蓋体６０に設けられたフック６１ａがケーシング１０の鍔部１３に係止され、留め部６５ｃの突部６５ｄと窪部６５ｅとが係合することによって、付勢部材６５ｂが圧縮された状態を維持する。
【００４９】
なお、本発明は、前記の実施形態に限定されることなく、特許請求の範囲に記載した発明特定事項の範囲内において種々変更することができる。例えば、第１の実施形態においても、インナー部６２の基端部側端縁に接離する突出部６５ａをアウター部６１に設けてもよい。また、第２の実施形態における留め部６５ｃは、第１の実施形態における係止部６４の位置に設けてもよい。また、ケーシング１０は、鍔部１２，１３を設けていないものでも実施することができる。
【産業上の利用可能性】
【００５０】
本発明に係る電池収納機構は、カメラやクリップオンタイプのストロボ装置（いわゆる単体ストロボ装置）、携帯用オーディオ機器などの携帯用電子機器、卓上時計などの電子機器に備えられている電池収納室を構成するものとして有効に利用することができる。
【図面の簡単な説明】
【００５１】
【図１】本発明に係る第１の実施形態における電池収納機構の閉蓋時を示す断面正面図
【図２】本発明に係る第１の実施形態における電池収納機構の開蓋途中を示す断面正面図
【図３】本発明に係る第１の実施形態における電池収納機構の開蓋時を示す断面正面図
【図４】本発明に係る第２の実施形態における電池収納機構の閉蓋時を示す断面正面図
【図５】本発明に係る第２の実施形態における電池収納機構の開蓋途中を示す断面正面図
【図６】本発明に係る第２の実施形態における電池収納機構の開蓋時を示す断面正面図
【図７】第１の従来例における電池収納機構の閉蓋時を示す断面正面図
【図８】第１の従来例における電池収納機構の開蓋途中を示す断面正面図
【図９】第１の従来例における電池収納機構の開蓋時を示す断面正面図
【図１０】第２の従来例における電池収納機構の閉蓋時を示す断面正面図
【図１１】第２の従来例における電池収納機構の開蓋途中を示す断面正面図
【図１２】第２の従来例における電池収納機構の開蓋時を示す断面正面図
【符号の説明】
【００５２】
１  電池
１ａ  電極
２  電池収納室
１０  ケーシング
１１  開口部
６０  蓋体
６１  アウター部
６１ａ  フック
６２  インナー部
６３  端子
６４  係止部
６４ａ  突起部
６４ｂ  小穴部
６４ｃ  小穴部
６５  係止部
６５ａ  突出部
６５ｂ  付勢部材
６５ｃ  留め部
７０  係合部
７１  凸部
７２  凹部
８０  ヒンジ
８１  長穴
８２  固定部
８３  軸
【図１】
2008251426.tif 000003
【図２】
2008251426.tif 000004
【図３】
2008251426.tif 000005
【図４】
2008251426.tif 000006
【図５】
2008251426.tif 000007
【図６】
2008251426.tif 000008
【図７】
2008251426.tif 000009
【図８】
2008251426.tif 000010
【図９】
2008251426.tif 000011
【図１０】
2008251426.tif 000012
【図１１】
2008251426.tif 000013
【図１２】
2008251426.tif 000014